(57)【要約】【課題】舌表面の清掃時に舌表面を吸着することのない舌清掃チップ及び舌清掃装置を提供する。【解決手段】吸引側ホース５に接続自在な接続部９を基端部側に備えた吸引パイプ７の先端部に、舌の表面を掻くための突起部１３を、前記吸引パイプ７の長手方向に対して交差する方向へ突出して備え、上記突起部１３の裾部付近に吸引口１５を備え、前記吸引口１５は、前記突起部１３より前記基端部側に設けてあり、かつ前記吸引パイプ７の先端側に、吸引孔１７を備えている。そして、前記吸引パイプ７の先端側は扁平状に形成してある。【選択図】図２
2006122139.tif 000002
【特許請求の範囲】
【請求項１】
吸引側ホースに接続自在な接続部を基端部側に備えた吸引パイプの先端部に、舌の表面を掻くための突起部を、前記吸引パイプの長手方向に対して交差する方向へ突出して備え、上記突起部の裾部付近に吸引口を備えていることを特徴とする舌清掃チップ。
【請求項２】
請求項１に記載の舌清掃チップにおいて、前記吸引口は、前記突起部より前記基端部側に設けてあり、かつ前記吸引パイプの先端側に、吸引孔を備えていることを特徴とする舌清掃チップ。
【請求項３】
請求項１又は２に記載の舌清掃チップにおいて、前記吸引パイプの先端側は扁平状に形成してあることを特徴とする舌清掃チップ。
【請求項４】
吸引手段と、この吸引手段に一端側を接続した吸引側ホースと、この吸引側ホースの他端側に接続した吸引パイプとを備え、前記吸引パイプは、舌の表面を掻くための突起部を前記吸引パイプの長手方向に対して交差する方向に突出して備え、この突起部の裾部付近に吸引口を備えていることを特徴とする舌清掃チップ。
【発明の詳細な説明】
【技術分野】
【０００１】
本発明は、舌の表面を清掃するための舌清掃チップ及びその舌清掃チップを用いた舌清掃装置に係り、さらに詳細には、舌表面の清掃時に舌が吸引されることのない舌清掃チップ及び舌清掃装置に関する。
【背景技術】
【０００２】
口臭治療等のために舌表面に付着している舌苔等を吸引除去することにより、舌表面を清掃することが行われている（特許文献１，２参照）。
【特許文献１】特許第３２４９４６９号公報
【特許文献２】特開２００１−１６１５９０号公報
【発明の開示】
【発明が解決しようとする課題】
【０００３】
前記特許文献１の記載に係る舌清掃用バキュームチップは、円筒形状の筒状体よりなるものであり、この筒状体の先端に斜め交差方向に開いた開口に、舌の表面を掻くためのへら及びブラシを備えた構成である。そして、前記へら及びブラシは、前記開口の開口平面内に配置してある。
【０００４】
したがって、前記筒状体の開口部を舌の表面に接触すると、柔軟な舌の表面が開口部に吸引されて、開口部全体が塞がれ易いという問題がある。また、筒状体の先端部に斜めに開口を備えた構成であることにより、口腔内に奥深く筒状体を挿入すると、前記開口が舌表面にうまく接触しなくなり、舌表面の奥の部分を良好に清掃することが難しいという問題があると共に、口を大きく開くことのできない患者等に対しての使用が難しいという問題がある。
【０００５】
前記特許文献２の記載に係る舌苔吸引器においては、細い舌苔吸引管部の先端側に大きな吸引口部を、前記舌苔吸引管部の長手方向に対して直交する方向に開口して備えた構成である。したがって、口腔内の奥深く舌苔吸引管部の先端を挿入した場合であっても、前記吸引口部を舌表面に接触することができる。しかし、前記吸引口部は舌背形状に適合するように凹面形態に形成してあるので、柔軟な舌が吸引口部に全面的に吸引吸着されて、吸引口部を塞ぎ易いという問題がある。
【課題を解決するための手段】
【０００６】
本発明は、前述のごとき問題に鑑みてなされたもので、吸引側ホースに接続自在な接続部を基端部側に備えた吸引パイプの先端部に、舌の表面を掻くための突起部を、前記吸引パイプの長手方向に対して交差する方向へ突出して備え、上記突起部の裾部付近に吸引口を備えていることを特徴とするものである。
【０００７】
また、舌清掃チップにおいて、前記吸引口は、前記突起部より前記基端部側に設けてあり、かつ前記吸引パイプの先端側に、吸引孔を備えていることを特徴とするものである。
【０００８】
また、舌清掃チップにおいて、前記吸引パイプの先端側は扁平状に形成してあることを特徴とするものである。
【０００９】
また、吸引手段と、この吸引手段に一端側を接続した吸引側ホースと、この吸引側ホースの他端側に接続した吸引パイプとを備え、前記吸引パイプは、舌の表面を掻くための突起部を前記吸引パイプの長手方向に対して交差する方向に突出して備え、この突起部の裾部付近に吸引口を備えていることを特徴とするものである。
【発明の効果】
【００１０】
本発明によれば、舌の表面を掻くための突起部が吸引パイプの先端部に、吸引パイプの長手方向に対して交差する方向へ突出してあり、この突起部の裾部付近に吸引口が備えられているので、前記突起部の先端でもって舌の表面を掻くとき、吸引口は舌表面から離れた状態にあり、舌苔の吸引を行うことができると共に柔軟な舌表面を吸引口に吸着するようなことがないものである。
【発明を実施するための最良の形態】
【００１１】
以下、図面を用いて本発明の実施形態に係る舌清掃装置について説明するに、舌清掃装置１は、図１に概念的，概略的に示すように、例えばブロワーなどのごとき適宜の負圧発生装置よりなる吸引手段３と、この吸引手段３に一端側を接続した吸引側ホース（吸引管）５と、この吸引側ホース５の他端側に着脱交換自在に接続した清掃チップとしての吸引パイプ７とを備えている。なお、前記吸引手段３及び吸引側ホース５は、例えば歯科医の設備として備えている一般的な吸引設備を兼ねることも可能であり、吸引手段等に関しては周知であるから詳細な説明は省略する。
【００１２】
前記吸引パイプ７は、図２，図３に示すように、前記吸引側ホース（吸引管）５に接続自在な円筒形状の接続部９を基端部側に備えている。この吸引パイプ７において、前記接続部９から先端部側（図２，３において左側）の部分は、例えば患者や介護者などの口腔内へ挿入し易いように、扁平状のパイプに形成してある。そして、扁平状のパイプ本体１１の先端部付近には、舌の表面を掻くための一条の突起部１３が形成してある。
【００１３】
上記突起部１３は、扁平状である前記パイプ本体１１における平面部側の面に形成してあるものであって、吸引パイプ７の長手方向に対して交差する方向（直交する方向）へ突出して形成してある。そして、上記突起部１３の裾部付近であって、突起部１３よりは前記基端部側の位置には、前記突起部１３によって掻き取られた例えば舌苔等を吸引するための吸引口１５が適数形成してある。さらに、前記吸引パイプ７の先端部付近には、外気を吸引するための小さな吸引孔１７が設けられている。
【００１４】
上記吸引孔１７は、前記吸引口１５による吸引作用を阻害しない程度に小さな孔であって、仮りに吸引口１５が舌表面によって塞がれたような場合であっても、吸引パイプ７内に空気の流れを確保するためのものである。
【００１５】
以上のごとき構成において、吸引側ホース５に吸引パイプ７を接続し、吸引手段３を駆動した状態において、前記吸引パイプ７を患者等の口腔内に挿入し、吸引パイプ７の先端部側に備えた突起部１３を舌表面に当てて掻くことにより、舌表面に付着している舌苔等が突起部１３の部分に掻き出される。そして、掻き出された舌苔等は吸引口１５から吸引されて除去されることになる。
【００１６】
前述のごとく突起部１３によって舌表面を掻くとき、舌表面は突起部１３の先端によって押圧された部分が凹状に変形するものの、前記吸引口１５は突起部１３の裾部付近に備えられているので、吸引口１５は舌表面から離れた状態にあり、柔軟な舌を吸着して塞ぐようなことがないものである。したがって、吸引パイプ７内に流体の流れを確保することができ舌苔などの吸引除去を継続して良好に行うことができるものである。
【００１７】
ところで、舌表面に対する前記突起部１３の押圧力が大きすぎ、舌表面に大きな窪みが生じて舌表面の一部が前記吸引口１５に吸着されて、吸引口１５が塞がれたような場合であっても、吸引パイプ７の先端側に設けた吸引孔１７から空気が流入されて、吸引パイプ７内に流体の流れが確保される。したがって、吸引パイプ７内に吸引した舌苔等が吸引パイプ７内に滞留することがなく、排除を確実に行うことができるものである。
【００１８】
なお、本発明は、前記実施形態のみに限るものではなく、適宜の変更を行うことにより、その他の形態でも実施可能である。すなわち、前記突起部１３は一条設けた場合について例示したが、二条以上とすることも可能である。また、突起部１３は、パイプ本体１１の長手方向に対して直交する方向に長い直線にて例示してあるが、波形に形成しても良く、さらに、前記吸引口１５の３方向を囲むように円弧状或いはコ字形状など、種々の形状とすることも可能である。またさらに、吸引口１５は円形状に限ることなく適宜形状の長穴とすることも可能である。
【図面の簡単な説明】
【００１９】
【図１】本発明の実施形態に係る舌清掃装置を概念的，概略的に示した説明図である。
【図２】本発明の実施形態に係る舌清掃チップを示す正面説明図である。
【図３】本発明の実施形態に係る舌清掃チップを示す底面説明図である。
【符号の説明】
【００２０】
１    舌清掃装置
３    吸引手段
５    吸引側ホース（吸引管）
７    吸引パイプ
９    接続部
１１    パイプ本体
１３    突起部
１５    吸引口
１７    吸引孔
【図１】
2006122139.tif 000003
【図２】
2006122139.tif 000004
【図３】
2006122139.tif 000005